(57)【要約】【課題】受信信号に重畳される送信信号に起因する受信信号の受信感度の劣化を抑制する。【解決手段】送受信モジュール１０は、第１の送信信号及び第２の送信信号を電力増幅する電力増幅器３０と、第１の受信信号及び第２の受信信号を低雑音増幅する低雑音増幅器４０と、第１の受信信号及び第２の受信信号に対するインピーダンスを調整する移相回路７０，８０と、受信フィルタ６５を通過する第１の送信信号を相殺する相殺信号を移相回路８０の出力ノード８２に供給する補正回路２００とを備える。【選択図】図１
2018056923.tif 000002
【特許請求の範囲】
【請求項１】
第１の送信信号及び第２の送信信号を電力増幅する電力増幅器と、
第１の受信信号及び第２の受信信号を低雑音増幅する低雑音増幅器と、
前記第１の受信信号の周波数帯域を通過帯域とし、且つ前記第１の送信信号の周波数帯域を阻止域とする周波数特性を有する第１の受信フィルタと、
前記第２の受信信号の周波数帯域を通過帯域とし、且つ前記第２の送信信号の周波数帯域を阻止域とする周波数特性を有する第２の受信フィルタと、
前記第１の受信フィルタの出力ノードに接続する第１の入力ノードと、前記低雑音増幅器の入力ノードに接続する第１の出力ノードとを備える第１の移相回路であって、前記第１の出力ノードにおける、前記第１の受信信号に対するインピーダンスが整合インピーダンスに一致し、且つ前記第２の受信信号に対するインピーダンスが開放インピーダンス又は短絡インピーダンスに一致するように、前記第１の受信信号及び前記第２の受信信号に対するインピーダンスを調整する、第１の移相回路と、
前記第２の受信フィルタの出力ノードに接続する第２の入力ノードと、前記低雑音増幅器の入力ノードに接続する第２の出力ノードとを備える第２の移相回路であって、前記第２の出力ノードにおける、前記第２の受信信号に対するインピーダンスが整合インピーダンスに一致し、且つ前記第１の受信信号に対するインピーダンスが開放インピーダンス又は短絡インピーダンスに一致するように、前記第１の受信信号及び前記第２の受信信号に対するインピーダンスを調整する、第２の移相回路と、
前記第２の受信フィルタを通過する前記第１の送信信号を相殺する相殺信号を前記第２の移相回路の前記第２の出力ノードに供給する補正回路と、
を備える送受信モジュール。
【請求項２】
請求項１に記載の送受信モジュールであって、
前記補正回路は、
前記第１の送信信号を入力する第１のフィルタであって、前記第２の受信フィルタの周波数特性と同一の周波数特性を有する、第１のフィルタと、
前記第１のフィルタの出力ノードに接続する第３の入力ノードと、前記第２の移相回路の第２の出力ノードに接続する第３の出力ノードとを備える第３の移相回路であって、前記第２の移相回路の前記第２の出力ノードにおける、前記第２の受信フィルタを通過する前記第１の送信信号の位相と、前記第３の移相回路の前記第３の出力ノードにおける、前記第１のフィルタを通過する前記第１の送信信号の位相とが相互に逆位相となるように、前記第１のフィルタを通過する前記第１の送信信号の位相を調整することにより、前記第１のフィルタを通過する前記第１の送信信号から前記相殺信号を生成する、第３の移相回路と、
を備える送受信モジュール。
【請求項３】
請求項２に記載の送受信モジュールであって、
前記補正回路は、前記第１の送信信号を入力する第２のフィルタを更に備え、
前記第２のフィルタの周波数特性は、前記第１の送信フィルタの周波数特性と同一であり、前記第２のフィルタの出力ノードは、前記第１のフィルタの入力ノードに接続している、送受信モジュール。
【請求項４】
請求項２に記載の送受信モジュールであって、
前記第３の移相回路は、前記第２の移相回路の前記第２の出力ノードにおける、前記第２の受信フィルタを通過する前記第１の送信信号のレベルの絶対値と、前記第３の移相回路の前記第３の出力ノードにおける、前記第１のフィルタを通過する前記第１の送信信号のレベルの絶対値とが同一となるように、前記第１のフィルタを通過する前記第１の送信信号を減衰する周波数特性を有する、送受信モジュール。
【請求項５】
請求項１から４の何れか１項に記載の送受信モジュールであって、
前記第１の送信信号の周波数帯域と、前記第２の受信信号の周波数帯域とが隣接している、送受信モジュール。
【発明の詳細な説明】
【技術分野】
【０００１】
本発明は、送受信モジュールに関わる。
【背景技術】
【０００２】
携帯電話などの移動通信端末における通信速度の向上を図る技術として、周波数帯域の異なる複数のコンポーネントキャリアを束ねてこれを一つの通信回線として信号を同時に送受信するキャリアアグリゲーションが知られている。特開２０１５−２０４６２９号公報の図８には、第１の周波数帯域の信号及び第２の周波数帯域の信号をキャリアアグリゲーションにより同時に受信する受信回路が記載されている。この受信回路は、第１の周波数帯域を通過帯域とする第１のフィルタと、第２の周波数帯域を通過帯域とする第２のフィルタとを備えている。第１のフィルタの出力と低雑音増幅器の入力との間には、第１の経路が実装されている。第１の経路は、第１の周波数帯域の信号については、実質的に整合インピーダンスを与え、第２の周波数帯の信号については、実質的に開放インピーダンスを与える。第２のフィルタの出力と低雑音増幅器の入力との間には、第２の経路が実装されている。第２の経路は、第２の周波数帯の信号については、実質的に整合インピーダンスを与え、第１の周波数帯の信号については、実質的に開放インピーダンスを与える。このような回路構成によれば、第１の周波数帯域の信号は、第１の経路を通じて低雑音増幅器に入力され、第２の周波数帯域の信号は、第２の経路を通じて低雑音増幅器に入力される。これにより、第１の周波数帯域の信号及び第２の周波数帯域の信号を同時に受信することができる。
【先行技術文献】
【特許文献】
【０００３】
【特許文献１】特開２０１５−２０４６２９号公報
【発明の概要】
【発明が解決しようとする課題】
【０００４】
しかし、電力増幅器により増幅される送信信号のうち送信フィルタにより減衰されるべき部分（特に、サイドローブ部分）が十分に減衰されないまま受信フィルタを通過してしまい、受信信号に重畳されることがある。これは、送信信号の帯域と受信信号の帯域とが近接しており、且つダウンリンクキャリアアグリゲーションとアップリンクキャリアアグリゲーションとが同時に動作している場合などに生じ得る。受信信号に重畳される送信信号は、受信信号に対するノイズとして作用し、受信信号の感度を低下させる要因となる。
【０００５】
そこで、本発明は、受信信号に重畳される送信信号に起因する受信信号の受信感度の劣化を抑制することを課題とする。
【課題を解決するための手段】
【０００６】
上述の課題を解決するため、本発明に係る送受信モジュールは、（i）第１の送信信号及び第２の送信信号を電力増幅する電力増幅器と、（ii）第１の受信信号及び第２の受信信号を低雑音増幅する低雑音増幅器と、（iii）第１の受信信号の周波数帯域を通過帯域とし、且つ第１の送信信号の周波数帯域を阻止域とする周波数特性を有する第１の受信フィルタと、（iv）第２の受信信号の周波数帯域を通過帯域とし、且つ第２の送信信号の周波数帯域を阻止域とする周波数特性を有する第２の受信フィルタと、（v）第１の受信フィルタの出力ノードに接続する第１の入力ノードと、低雑音増幅器の入力ノードに接続する第１の出力ノードとを備える第１の移相回路であって、第１の出力ノードにおける、第１の受信信号に対するインピーダンスが整合インピーダンスに一致し、且つ第２の受信信号に対するインピーダンスが開放インピーダンス又は短絡インピーダンスに一致するように、第１の受信信号及び第２の受信信号に対するインピーダンスを調整する、第１の移相回路と、（vi）第２の受信フィルタの出力ノードに接続する第２の入力ノードと、低雑音増幅器の入力ノードに接続する第２の出力ノードと、を備える第２の移相回路であって、第２の出力ノードにおける、第２の受信信号に対するインピーダンスが整合インピーダンスに一致し、且つ第１の受信信号に対するインピーダンスが開放インピーダンス又は短絡インピーダンスに一致するように、第１の受信信号及び第２の受信信号に対するインピーダンスを調整する、第２の移相回路と、（vii）第２の受信フィルタを通過する第１の送信信号を相殺する相殺信号を第２の移相回路の第２の出力ノードに供給する補正回路と、を備える。
【発明の効果】
【０００７】
本発明によれば、第２の受信信号に重畳される第１の送信信号に起因する第２の受信信号の受信感度の劣化を抑制することができる。
【図面の簡単な説明】
【０００８】
【図１】本発明の実施形態に係る送受信モジュールの概略回路構成を示す説明図である。
【図２】受信信号の感度低下の要因を示す説明図である。
【図３】本発明の実施形態に係る送受信モジュールの概略回路構成を示す説明図である。
【発明を実施するための形態】
【０００９】
以下、各図を参照しながら本発明の実施形態について説明する。ここで、同一符号は同一の回路素子を示すものとし、重複する説明は省略する。
図１は、本発明の実施形態に係る送受信モジュール１０の概略回路構成を示す説明図である。送受信モジュール１０は、携帯電話などの移動通信機において、基地局との間でＲＦ（Radio Frequency）信号を送受信するための信号処理を行うモジュールである。送受信モジュール１０は、主に、電力増幅器（ＰＡ）３０、低雑音増幅器（ＬＮＡ）４０、デュプレクサ５０，６０、移相回路７０（第１の移相回路）、移相回路８０（第２の移相回路）、及び補正回路２００を備えている。送受信モジュール１０は、例えば、ＨＳＵＰＡ（High-Speed Uplink Packet Access）やＬＴＥ（Long Term Evolution）などの通信規格に対応している。
【００１０】
電力増幅器３０の入力ノード３１には、第１の送信信号及び第２の送信信号が入力される。第１の送信信号及び第２の送信信号は、互いに周波数帯域の異なるＲＦ信号である。このＲＦ信号は、デジタル信号処理可能なベースバンド信号に重畳された情報に従って、搬送波を変調することにより得られる。電力増幅器３０は、入力ノード３１に入力される第１の送信信号及び第２の送信信号を電力増幅し、これらを出力ノード３２から出力する。
【００１１】
送信信号切り替えスイッチ１００は、入力ノード１０１、及び出力ノード１０２，１０３を備えている。送信信号切り替えスイッチ１００は、電力増幅器３０から入力ノード１０１に入力される第１の送信信号を出力ノード１０２から選択的に出力する。送信信号切り替えスイッチ１００は、電力増幅器３０から入力ノード１０１に入力される第２の送信信号を出力ノード１０３から選択的に出力する。
【００１２】
デュプレクサ５０は、共通ノード５１、送信ノード５２、受信ノード５３、送信フィルタ５４（第１の送信フィルタ）、及び受信フィルタ５５（第１の受信フィルタ）を備えている。共通ノード５１は、アンテナスイッチ１７０のノード１７２に接続している。送信ノード５２は、送信信号切り替えスイッチ１００の出力ノード１０２に接続している。受信ノード５３は、移相回路７０を経由して受信信号切り替えスイッチ１１０の入力ノード１１２に接続している。送信フィルタ５４は、電力増幅器３０から送信ノード５２及び共通ノード５１を経由してアンテナ２０に出力される第１の送信信号の周波数帯域を通過帯域とする一方、第１の受信信号の周波数帯域を阻止域とする周波数特性を有している。受信フィルタ５５は、アンテナ２０から共通ノード５１及び受信ノード５３を経由して低雑音増幅器４０に入力される第１の受信信号の周波数帯域を通過帯域とする一方、第１の送信信号の周波数帯域を阻止域とする周波数特性を有している。これにより、デュプレクサ５０は、電力増幅器３０から送信ノード５２及び共通ノード５１を経由してアンテナ２０に出力される第１の送信信号と、アンテナ２０から共通ノード５１及び受信ノード５３を経由して低雑音増幅器４０に入力される第１の受信信号とを分離する。なお、第１の送信信号及び第１の受信信号は、互いに周波数帯域の異なるＲＦ信号である。
【００１３】
デュプレクサ６０は、共通ノード６１、送信ノード６２、受信ノード６３、送信フィルタ６４（第２の送信フィルタ）、及び受信フィルタ６５（第２の受信フィルタ）を備えている。共通ノード６１は、アンテナスイッチ１７０のノード１７３に接続している。送信ノード６２は、送信信号切り替えスイッチ１００の出力ノード１０３に接続している。受信ノード６３は、移相回路８０を経由して受信信号切り替えスイッチ１１０の入力ノード１１３に接続している。送信フィルタ６４は、電力増幅器３０から送信ノード６２及び共通ノード６１を経由してアンテナ２０に出力される第２の送信信号の周波数帯域を通過帯域とする一方、第２の受信信号の周波数帯域を阻止域とする周波数特性を有している。受信フィルタ６５は、アンテナ２０から共通ノード６１及び受信ノード６３を経由して低雑音増幅器４０に入力される第２の受信信号の周波数帯域を通過帯域とする一方、第２の送信信号の周波数帯域を阻止域とする周波数特性を有している。これにより、デュプレクサ６０は、電力増幅器３０から送信ノード６２及び共通ノード６１を経由してアンテナ２０に出力される第２の送信信号と、アンテナ２０から共通ノード６１及び受信ノード６３を経由して低雑音増幅器４０に入力される第２の受信信号とを分離する。なお、第２の送信信号及び第２の受信信号は、互いに周波数帯域の異なるＲＦ信号である。
【００１４】
受信信号切り替えスイッチ１１０は、入力ノード１１２，１１３、及び出力ノード１１１を備えている。受信信号切り替えスイッチ１１０は、デュプレクサ５０から入力ノード１１２に入力される第１の受信信号を出力ノード１１１から選択的に出力する。受信信号切り替えスイッチ１１０は、デュプレクサ６０から入力ノード１１３に入力される第２の受信信号を出力ノード１１１から選択的に出力する。受信信号切り替えスイッチ１１０は、第１の受信信号及び第２の受信信号をキャリアアグリゲーションにより同時に出力ノード１１１から出力することができる。受信信号切り替えスイッチ１１０の出力ノード１１１から選択的に出力される第１の受信信号及び第２の受信信号は、低雑音増幅器４０の入力ノード４１に入力される。
【００１５】
低雑音増幅器４０は、入力ノード４１に入力される第１の受信信号及び第２の受信信号を低雑音増幅し、これらを出力ノード４２から出力する。低雑音増幅器４０の出力ノード４２から出力される第１の受信信号及び第２の受信信号は、それぞれ、ベースバンド信号に復調される。
【００１６】
アンテナスイッチ１７０は、アンテナ２０に接続するノード１７１と、デュプレクサ５０の共通ノード５１に接続するノード１７２と、デュプレクサ６０の共通ノード６１に接続するノード１７３とを備える。アンテナスイッチ１７０は、第１の送信信号、第１の受信信号、第２の送信信号、及び第２の受信信号の経路をノード１７１，１７２，１７３間に選択的に確立する。
【００１７】
なお、整合回路１２０は、電力増幅器３０の出力ノード３２と送信信号切り替えスイッチ１００の入力ノード１０１との間のインピーダンスを整合する。整合回路１３０は、低雑音増幅器４０の入力ノード４１と受信信号切り替えスイッチ１１０の出力ノード１１１との間のインピーダンスを整合する。
【００１８】
送受信モジュール１０は、第１の受信信号及び第２の受信信号をキャリアアグリゲーションにより同時に受信可能に構成されている。このため、アンテナスイッチ１７０のノード１７２からデュプレクサ５０の共通ノード５１に第１の受信信号及び第２の受信信号が同時に入力される。このとき、アンテナスイッチ１７０のノード１７３からデュプレクサ６０の共通ノード６１にも、第１の受信信号及び第２の受信信号が同時に入力さる。
【００１９】
移相回路７０の入力ノード７１（第１の入力ノード）は、デュプレクサ５０の受信ノード５３に接続している。移相回路７０の出力ノード７２（第１の出力ノード）は、受信信号切り替えスイッチ１１０の入力ノード１１２に接続している。移相回路７０は、その出力ノード７２における、第１の受信信号に対するインピーダンスが整合インピーダンスに一致するように、第１の受信信号に対するインピーダンスを調整する。更に、移相回路７０は、その出力ノード７２における、第２の受信信号に対するインピーダンスが開放インピーダンス又は短絡インピーダンスに一致するように、第２の受信信号に対するインピーダンスを調整する。これにより、移相回路７０の出力ノード７２における、第１の受信信号の反射係数が０になり、且つ、第２の受信信号の反射係数が±１になる。従って、低雑音増幅器４０の入力ノード４１には、移相回路７０を経由して第１の受信信号が入力される一方、受信フィルタ５５を通過する第２の受信信号は、出力ノード７２で反射される。
【００２０】
移相回路８０の入力ノード８１（第２の入力ノード）は、デュプレクサ６０の受信ノード６３に接続している。移相回路８０の出力ノード８２（第２の出力ノード）は、受信信号切り替えスイッチ１１０の入力ノード１１３に接続している。移相回路８０は、その出力ノード８２における、第２の受信信号に対するインピーダンスが整合インピーダンスに一致するように、第２の受信信号に対するインピーダンスを調整する。更に、移相回路８０は、その出力ノード８２における、第１の受信信号に対するインピーダンスが開放インピーダンス又は短絡インピーダンスに一致するように、第１の受信信号に対するインピーダンスを調整する。これにより、移相回路８０の出力ノード８２における、第２の受信信号の反射係数が０になり、且つ、第１の受信信号の反射係数が±１になる。従って、低雑音増幅器４０の入力ノード４１には、移相回路８０を経由して第２の受信信号が入力される一方、受信フィルタ６５を通過する第１の受信信号は、出力ノード８２で反射される。
【００２１】
ここで、図２を参照しながら、第２の受信信号の感度低下（ディセンス）について説明する。同図において、符号Ｂ１−ＴＸは、第１の送信信号の周波数帯（例えば、１９２０ＭＨｚ以上１９８０ＭＨｚ以下）を示している。符号Ｂ３−ＲＸは、第２の受信信号の周波数帯（例えば、１８０５ＭＨｚ以上１８８０ＭＨｚ以下）を示している。符号ＰＢは、送信フィルタ５４の通過帯域を示している。符号ＳＬは、第１の送信信号のサイドローブ部分を示している。送信フィルタ５４を通過する第１の送信信号のうち、送信フィルタ５４により減衰されるべき部分（特に、サイドローブ部分ＳＬ）が十分に減衰されないまま、受信フィルタ６５を通過することがある。受信フィルタ６５を通過する第１の送信信号のサイドローブ部分ＳＬは、第２の受信信号に重畳し、第２の受信信号の感度を低下させるノイズとして作用する。このような第２の受信信号の感度低下は、第１の送信信号の帯域Ｂ１−ＴＸと第２の受信信号の帯域Ｂ３−ＲＸとが隣接している場合に生じ易い。
【００２２】
ここで、図１の説明に戻る。補正回路２００は、送信フィルタ５４により減衰されるべき部分が十分に減衰されないまま受信フィルタ６５を通過してしまった第１の送信信号を相殺するための相殺信号を生成する。補正回路２００は、相殺信号を移相回路８０の出力ノード８２に供給することにより、第２の受信信号に重畳される第１の送信信号を除去し、第２の受信信号の受信感度低下を抑制する。補正回路２００は、スイッチ１６０、フィルタ１４０（第１のフィルタ）、及び移相回路９０（第３の移相回路）を備えている。フィルタ１４０は、スイッチ１６０の開閉により、送信信号切り替えスイッチ１００の出力ノード１０２と、デュプレクサ５０の送信ノード５２との間の信号経路に選択的に接続する入力ノード１４１を有する。フィルタ１４０は、送信信号切り替えスイッチ１００の出力ノード１０２から出力される第１の送信信号を選択的に入力する。スイッチ１６０は、例えば、ベースバンド信号の処理を行うベースバンドＩＣ（Integrated Circuit）からの制御信号に基づいて開閉制御される。或いは、スイッチ１６０は、ＲＦ信号の変復調を行うＲＦＩＣ（Radio Frequency Integrated Circuit）からの制御信号に基づいて開閉制御されてもよい。フィルタ１４０は、受信フィルタ６５の周波数特性と同一の周波数特性を有しており、フィルタ１４０を通過した第１の送信信号の位相及びレベルは、受信フィルタ６５を通過した第１の送信信号の位相及びレベルに類似している。移相回路９０は、フィルタ１４０の出力ノード１４２に接続する入力ノード９１（第３の入力ノード）と、移相回路８０の出力ノード８２に接続する出力ノード９２（第３の出力ノード）とを備える。移相回路９０は、受信フィルタ６５を通過した第１の送信信号の出力ノード８２における位相と、フィルタ１４０を通過する第１の送信信号の出力ノード９２における位相とが相互に逆位相となるように、フィルタ１４０を通過する第１の送信信号の位相を調整する。このようにして、フィルタ１４０及び移相回路９０を通過する第１の送信信号から相殺信号が生成される。
【００２３】
なお、補正回路２００は、スイッチ１６０の開閉により、送信信号切り替えスイッチ１００の出力ノード１０２と、デュプレクサ５０の送信ノード５２との間の信号経路に選択的に接続する入力ノード１５１を有するフィルタ１５０（第２のフィルタ）を更に備えてもよい。フィルタ１５０は、送信信号切り替えスイッチ１００の出力ノード１０２から出力される第１の送信信号を選択的に入力する。フィルタ１５０の周波数特性は、送信フィルタ５４の周波数特性と同一である。フィルタ１５０の出力ノード１５２は、フィルタ１４０の入力ノード１４１に接続する。これにより、受信フィルタ６５を通過する第１の送信信号の出力ノード８２におけるレベルの絶対値と、二つのフィルタ１４０、１５０を通過する第１の送信信号の出力ノード９２におけるレベルの絶対値とが実質的に同一となる。このようにして、二つのフィルタ１４０，１５０及び移相回路９０を通過する第１の送信信号から高精度な相殺信号が生成される。
【００２４】
但し、フィルタ１５０は必須ではない。例えば、移相回路９０が、フィルタ１４０を通過する第１の送信信号を適度に減衰する周波数特性を有している場合には、フィルタ１５０を省略してもよい。このような周波数特性として、例えば、受信フィルタ６５を通過する第１の送信信号の出力ノード８２におけるレベルの絶対値と、フィルタ１４０及び移相回路９０を通過する第１の送信信号の出力ノード９２におけるレベルの絶対値とが同一となるような特性が望ましい。
【００２５】
なお、上述の説明では、補正回路２００は、送信信号切り替えスイッチ１００の出力ノード１０２から出力される第１の送信信号を、スイッチ１６０を通じて、選択的に入力する場合を例示した。但し、補正回路２００は、図１に示す構成に限られるものではなく、例えば、図３に示すように、補正回路２００は、カプラ（ＣＰＬ）１８０、フィルタ１４０，１５０、移相回路９０及びスイッチ１９０を備えてもよい。送信信号切り替えスイッチ１００の出力ノード１０２から出力される第１の送信信号は、カプラ１８０を通じて補正回路２００に入力される。移相回路９０と移相回路８０との間には、スイッチ１９０が設けられている。補正回路２００は、スイッチ１９０の開閉により、相殺信号を移相回路８０の出力ノード８２に選択的に供給する。スイッチ１９０は、例えば、ベースバンドＩＣ又はＲＦＩＣからの制御信号に基づいて開閉制御される。
【００２６】
本実施形態によれば、受信フィルタ６５を通過する第１の送信信号を相殺する相殺信号を移相回路８０の出力ノード８２に供給することにより、第２の受信信号に重畳される第１の送信信号を除去し、第２の受信信号の受信感度低下を抑制できる。またフィルタ１４０及び移相回路９０を通過する第１の送信信号から相殺信号を生成することができる。特に、移相回路９０が第１の送信信号を適度に減衰する周波数特性を有している場合には、フィルタ１４０及び移相回路９０を通過する第１の送信信号から高精度な相殺信号を生成することができる。或いは、二つのフィルタ１４０，１５０及び移相回路９０を通過する第１の送信信号から高精度な相殺信号を生成することもできる。特に、第１の送信信号の周波数帯域と、第２の受信信号の周波数帯域とが隣接している場合には、第１の送信信号が第２の受信信号に重畳することに起因する第２の受信信号の受信感度の低下が生じやすい。このため、第２の受信信号に重畳される第１の送信信号を、相殺信号を用いて除去することは効果的である。
【００２７】
以上説明した実施形態は、本発明の理解を容易にするためのものであり、本発明を限定して解釈するためのものではない。本発明は、その趣旨を逸脱することなく、変更又は改良され得るととともに、本発明にはその等価物も含まれる。即ち、実施形態に当業者が適宜設計変更を加えたものも本発明の特徴を備えている限り、本発明の範囲に包含される。実施形態が備える各要素及びその配置、材料、条件、形状、サイズなどは、例示したものに限定されるわけではなく適宜変更することができる。例えば、「回路素子Ａが回路素子Ｂに接続する」とは、回路素子Ａが回路素子Ｂに直接接続している場合のみならず、回路素子Ａと回路素子Ｂとの間に回路素子Ｃ（例えば、スイッチ素子）を経由して信号経路が選択的に確立され得る場合も含まれるものとする。また、上下左右などの位置関係は、特に断らない限り、図示の比率に限定されるものではない。また、実施形態が備える各要素は、技術的に可能な限りにおいて組み合わせることができ、これらを組み合わせたものも本発明の特徴を含む限り本発明の範囲に包含される。
【符号の説明】
【００２８】
１０…送受信モジュール  ２０…アンテナ  ３０…電力増幅器  ４０…低雑音増幅器  ５０，６０…デュプレクサ  ５１，６１…共通ノード  ５２，６２…送信ノード  ５３，６３…受信ノード  ５４，６４…送信フィルタ  ５５，６５…受信フィルタ  ７０，８０，９０…移相回路  １００…送信信号切り替えスイッチ  １１０…受信信号切り替えスイッチ  １２０，１３０…整合回路  １４０，１５０…フィルタ  ２００…補正回路
【図１】
2018056923.tif 000003
【図２】
2018056923.tif 000004
【図３】
2018056923.tif 000005